(57)【要約】【課題】複写防止のＵＳＢプラグ装置の提供。【解決手段】本考案は複写防止のＵＳＢプラグ装置を提供し、その一端はＵＳＢジョイントとコンタクトして、前記のＵＳＢジョイントの延長方向に従い移動できる。当該ＵＳＢジョイントにはいくつのガイド槽があり、すべてのガイド槽はＵＳＢジョイントの端部から深さのある形になっている上に、すくなくとも一つの寸法をもっている。上記の複写防止のＵＳＢプラグ装置には、ケース一つ、複数の対応固定部がある。なお、前記のケースの中に装着スペースがあり、この装着スペースには前述のＵＳＢプラグ装置を入れることができる。前記の対応固定部は前記のケースの上にあり、複数の対応固定部は一列配列になる上に一々ガイド槽の位置と対応する。上記の複写防止のＵＳＢプラグ装置を前記のＵＳＢジョイント延長方向に従い引っ張り移動させると、上記のＵＳＢジョイントは前記の装着スペースの中に設置される。【選択図】図２
0003131236.tif 000002
【実用新案登録請求の範囲】
【請求項１】
複写防止のＵＳＢプラグ装置であり、一端はＵＳＢジョイントとコンタクトして、該ＵＳＢジョイントの延長方向に従い移動し、該ＵＳＢジョイントにはいくつかのガイド槽を設け、すべてのガイド槽は該ＵＳＢジョイントの端部から深さのある形になっている上に、すくなくとも一つの寸法を持ち、
ケース、及び複数の対応固定部を含み、
該ケースの中に装着スペースがあり、この装着スペースに前記のＵＳＢジョイントを設置することができ、
該複数の対応固定部が前記のケースの上にあり、複数の対応固定部は一列配列になり、それぞれガイド槽の位置と対応し、上記の複写防止のＵＳＢプラグ装置を前記のＵＳＢジョイント延長方向に従い引っ張り移動させると、上記のＵＳＢジョイントは前記の装着スペースの中に設置されることを特徴とする複写防止のＵＳＢプラグ装置。
【請求項２】
対応部は装着スペースの方向に従い延長して、高さがあることを特徴とする請求項１記載の複写防止のＵＳＢプラグ装置。
【請求項３】
対応部とケースの片方の端まで距離があって、その距離の長さは前記した深さより短いことであることを特徴とする請求項１記載の複写防止のＵＳＢプラグ装置。
【請求項４】
ケースの両側にはそれぞれ開け口を設け、且つ前述ＵＳＢジョイントは対応するフックが２つあり、前記のフックが前記の開け口と接続することができ、前記のケースと前記のＵＳＢジョイントは結合されることを特徴とする請求項１記載の複写防止のＵＳＢプラグ装置。
【考案の詳細な説明】
【技術分野】
【０００１】
本考案はパスワードロックの装置であり、特にＵＳＢポートを通してデータを転送するときに、パスワードロックにより、データの不正コピーを防止する装置を指している。
【背景技術】
【０００２】
テクノロジーの進歩に伴い、パソコンおよび３Ｃのエレクトロニック製品が普及しているが、諸々の規格の違う周辺設備と接続しなければいけなかったため、様々な規格が違うコネクタ、プラグ、ケーブルが次から次へ出ている。その中に、Ｗｉｎｄｏｗｓ（登録商標）９８が市販されて以来、ＵＳＢ （Ｕｎｉｖｅｒｓａｌ  Ｓｅｒｉａｌ  Ｂｕｓ）というデータ転送インタフェースは人気増加一方である。
【０００３】
実は、ＵＳＢという規格はすでに９６年にインテル（Ｉｎｔｅｌ）（登録商標）会社が言い出した。しかしながら、当時のＯＳはこのインタフェースをサッポートしていなかったため、Ｗｉｎｄｏｗｓ（登録商標）９８が登場するまでこのインタフェースの大切さがずっと確定できなかった。ＵＳＢはユニバーサルなインタフェースの規格で、キーボード、マウス、コントローラーなどの周辺設備と接続できる。昔のキーボードのプラグは丸い形をしていて、真ん中に６本のピンがある。マウスの場合、ＰＳ２の丸いプラグおよび四角形のプラグ二種類があった。このようにプラグ規格が数多くあるため、パソコンを組立てるときに、もしくは、設備を取り替えるときにユーザーにさまざまな不便な思いをさせた。ＵＳＢの機能はこれらのコネクタの規格をまとめた。
【０００４】
但し、ＵＳＢは便利性を持つ同時に、データの管理がより難しくなる欠点もある。それはどんな人であっても、一個のＵＳＢディスクを使用して勝手にパソコンのＵＳＢポートに差し込んでパソコンの中に保存されているデータを複写するができるからである。それゆえ、市場にＵＳＢポートのロック装置が出た。詳細は図１を参考にしてください。市販のＵＳＢポートのロック装置（１）には、可動式ヘッド（１１）一つ、本体（１２）一つ、可動式開閉器（１３）一つ、接続部（１４）一つ、フック装置（１５）二つが含まれている。上記の可動式開閉器（１３）は本体（１２）の中に設置されており、第一ポジション（９１）と第二ポジション（９２）の上で移動できる。また、接続部（１４）は本体（１２）のサイトと接続し、当該サイトから出ている。二つのフック装置（１５）は上記の本体（１２）の中に設置されていて、可動式開閉器（１３）と連動する。上記の可動式開閉器（１３）の位置は第一ポジション（９１）のところにあるとき、二つのフック装置（１５）のフック装置（１５１）は接続部（１４）の中にある。それゆえ、上記の接続部（１４）は可動式ヘッド（１１）と離れることができる。可動式ヘッド（１１）はこれでＵＳＢポート（図に未表示）にあり、ＵＳＢポートのデータ読み取りをロックする。一方、上記の可動式開閉器（１３）の位置が第二ポジション（９２）のところにあるとき、二つのフック装置（１５）のフック装置（１５１）は当該接続部（１４）の外まで出ているため、接続部（１４）は可動式ヘッド（１１）と接続することができる。一方、本体（１２）は可動式ヘッド（１１）をＵＳＢポートから引っ張り出し、ＵＳＢポートは開放され使用可能な状態になる。
【０００５】
しかしながら、市販のＵＳＢポートのロック装置（１）には以下の欠点がある。ＵＳＢポートのロック装置（１）はすべての可動式ヘッド（１１）とセパレートすることができるため、ＵＳＢポートのロック装置（１）を一つだけあれば、可動式ヘッド（１１）を開け、好き勝手にほしいデータを盗用できる。そのため、いかに上述の問題を解決して改善策を見つけることは業者にとっては頭を抱える問題である。
【考案の開示】
【考案が解決しようとする課題】
【０００６】
本考案の主要目的は複写防止のＵＳＢプラグ装置を提供し、当該装置には、ケースの中に一つの対応固定部を設け、その上に、ＵＳＢジョイントには対応固定部と対応するガイド槽を設ける。これにより、対応固定部とガイド槽の寸法と位置を変えるだけで、複写防止のＵＳＢプラグ装置がロック機能を持つようになる。
【０００７】
本考案の副次目的は複写防止のＵＳＢプラグ装置を提供することである。当該装置の差し込みヘッド部はＵＳＢポートとセパレートや差し込むことができるため、ＵＳＢポートを閉じてデータの不正コピーを防止できる。
【０００８】
上記の目的を達成するため、本考案は複写防止のＵＳＢプラグ装置を提供する。当該装置の一端はＵＳＢジョイントとコンタクトして、ＵＳＢジョイントの延長方向に従い移動する。上記のＵＳＢジョイントにはいくつのガイド槽があり、すべてのガイド槽はＵＳＢジョイントの端部から深さのある形になっている上に、すくなくとも一つの寸法を持っている。上記の複写防止のＵＳＢプラグ装置には、ケース一つ、複数の対応固定部がある。なお、前記のケースの中に装着スペースがあり、この装着スペースには前述のＵＳＢプラグ装置を入れることができる。前記の対応固定部は前記のケースの上にあり、複数の対応固定部は一列配列になる上に一々ガイド槽の位置と対応する。上記の複写防止のＵＳＢプラグ装置を前記のＵＳＢジョイント延長方向に従い引っ張り移動させると、上記のＵＳＢジョイントは前記の装着スペースの中に設置される。
【課題を解決するための手段】
【０００９】
請求項１の考案は、複写防止のＵＳＢプラグ装置であり、一端はＵＳＢジョイントとコンタクトして、該ＵＳＢジョイントの延長方向に従い移動し、該ＵＳＢジョイントにはいくつかのガイド槽を設け、すべてのガイド槽は該ＵＳＢジョイントの端部から深さのある形になっている上に、すくなくとも一つの寸法を持ち、
ケース、及び複数の対応固定部を含み、
該ケースの中に装着スペースがあり、この装着スペースに前記のＵＳＢジョイントを設置することができ、
該複数の対応固定部が前記のケースの上にあり、複数の対応固定部は一列配列になり、それぞれガイド槽の位置と対応し、上記の複写防止のＵＳＢプラグ装置を前記のＵＳＢジョイント延長方向に従い引っ張り移動させると、上記のＵＳＢジョイントは前記の装着スペースの中に設置されることを特徴とする複写防止のＵＳＢプラグ装置としている。
請求項２の考案は、対応部は装着スペースの方向に従い延長して、高さがあることを特徴とする請求項１記載の複写防止のＵＳＢプラグ装置としている。
請求項３の考案は、対応部とケースの片方の端まで距離があって、その距離の長さは前記した深さより短いことであることを特徴とする請求項１記載の複写防止のＵＳＢプラグ装置としている。
請求項４の考案は、ケースの両側にはそれぞれ開け口を設け、且つ前述ＵＳＢジョイントは対応するフックが２つあり、前記のフックが前記の開け口と接続することができ、前記のケースと前記のＵＳＢジョイントは結合されることを特徴とする請求項１記載の複写防止のＵＳＢプラグ装置としている。
【考案の効果】
【００１０】
本考案の複写防止のＵＳＢプラグ装置を提供し、当該装置には、ケースの中に一つの対応固定部を設け、その上に、ＵＳＢジョイントには対応固定部と対応するガイド槽を設ける。これにより、対応固定部とガイド槽の寸法と位置を変えるだけで、複写防止のＵＳＢプラグ装置がロック機能を持つようになる。当該装置の差し込みヘッド部はＵＳＢポートとセパレートや差し込むことができるため、ＵＳＢポートを閉じてデータの不正コピーを防止できる。
【考案を実施するための最良の形態】
【００１１】
図２〜図４は本考案複写防止ＵＳＢプラグ装置の好ましい実施例の立体構造図および各パーツの説明図である。本考案―複写防止ＵＳＢプラグ装置（２）の一端はＵＳＢジョイント（３）とコンタクトし、ＵＳＢジョイントの延長方向（９３）に従い移動する。当該ＵＳＢジョイント（３）にはいくつのガイド槽（３１）がある。本考案の複写防止ＵＳＢプラグ装置（２）にはケース（２１）一つ、複数の対応固定部（２２）が含まれる。当該ケース（２１）には装着スペース（２３）があって、この装着スペース（２３）には前記のＵＳＢジョイント（３）を入れることができる。複数の対応固定部（２２）は前記のケース（２１）の上にあり、装着スペース（２３）の延長方向に従い伸び、外に出てすごしの高さ（h）がある。
【００１２】
本考案の第一好ましい実施例では、複数の対応固定部（２２）は２個あり、すべての対応固定部（２２）はケース（２１）の端側と同じ距離（ｓ）をもっている。ガイド槽（３１）は二つあり、一々対応固定部（２２）の位置と対応する。すべてのガイド槽（３１）はＵＳＢジョイント（３）の端側から深さ（ｄ）があり、前記の距離（ｓ）の寸法は前記の深さ（ｄ）寸法より小さいである。そうしたら、複写防止のＵＳＢプラグ装置（２）はＵＳＢジョイント（３）の延長方向（９３）に従い移動できる。それに伴い、ＵＳＢジョイント（３）は前記の装着スペース（２３）の中に装着される。但し、前記の距離sの寸法は前記の深さｄ寸法より大きい場合、上述したＵＳＢジョイント（３）は完全に前記の装着スペース（３）の中に装着できない。
【００１３】
本考案のもう一つ好ましい実施例の中で、複写防止のＵＳＢプラグ装置２ａの対応固定部２２ａ、２２ｂは２個で設計されている。すべての対応固定部（２２ａ、２２ｂ）から上記のケース（２１）の端側までの距離（Ｓ１、Ｓ２）はそれぞれ異なる。その上に、ＵＳＢジョイント３ａのガイド槽（３１ａ、３１ｂ）の２個に設計されている。すべてのガイド槽（３１ａ、３１ｂ）のＵＳＢジョイント（３）の端部からの深さ（ｄ１、ｄ２）がそれぞれ違う。ただし、すべてのガイド槽（３１ａ、３１ｂ）はそれぞれの対応固定部（２２ａ、２２ｂ）および距離（Ｓ１、Ｓ２）と対応するため、上記のＵＳＢジョイント（３ａ）を完全に装着スペース（２３）の中に設置することができる。それゆえ、上記の固定対応部（２２ａ、２２ｂ）とガイド槽（３１ａ、３１ｂ）の位置と寸法がそれぞれ違うので、すべてのＵＳＢジョイント（３ａ）は前記の装着スペース（２３）に設置することは不可能である。本考案の複写防止ＵＳＢプラグ装置（２）はこの仕組みでロック機能を持つ。言うまでもなく、対応固定部（２２）およびガイド槽（３１）を３個や３個以上に設計することは可能で、これで、本考案のロック機能は一層よくなる。
【００１４】
本考案の好ましい実施例において、上記のケース（２１）の両側にはそれぞれ開け口（２５）があり、その上に、上記のＵＳＢジョイント（３）のフック装置（３２）と対応して接続できる。それで、ケース（２１）とＵＳＢジョイント（３）は結ばれる。
【００１５】
本考案の複写防止のＵＳＢプラグ装置は確実に従来技術の欠点を改善することができ、現在の業界ニーズを満足させる上に業界の競争力を向上させることができる。
【図面の簡単な説明】
【００１６】
【図１】市販のＵＳＢポートの開閉装置の構造分解図である。
【図２】本考案の複写防止ＵＳＢプラグ装置の好ましい実施例の立体構造図である。
【図３】本考案の複写防止ＵＳＢプラグ装置の差込ヘッドの第一好ましい実施例の構造の底面図である。
【図４】本考案の複写防止ＵＳＢプラグ装置の差込ヘッドの第一好ましい実施例の構造の側面図である。
【図５】本考案の複写防止ＵＳＢプラグ装置の差込ヘッドの第二好ましい実施例の構造の底面図である。
【図６】本考案の複写防止ＵＳＢプラグ装置のジョイントの第一好ましい実施例の構造の底面図である。
【図７】本考案の複写防止ＵＳＢプラグ装置のジョイントの第二好ましい実施例の構造の底面図である。
【符号の説明】
【００１７】
１  ＵＳＢポートのロック装置
２、２ａ  複写防止ＵＳＢプラグ装置
３、３ａ  ＵＳＢジョイント
１１  可動式ヘッド
１２  本体
１３  可動式開閉器
１４  接続部
１５  フック装置
２１  ケース
２２、２２ａ、２２ｂ  対応固定部
２３  装着スペース
２５  開け口
３１、３１ａ、３１ｂ  ガイド槽
３２  フック装置
９１  第一ポジション
９２  第二ポジション
９３  延長方向
１５１  フック装置
ｄ  深さ
ｈ  高さ
Ｓ、Ｓ１、Ｓ２  距離
【図１】
0003131236.tif 000003
【図２】
0003131236.tif 000004
【図３】
0003131236.tif 000005
【図４】
0003131236.tif 000006
【図５】
0003131236.tif 000007
【図６】
0003131236.tif 000008
【図７】
0003131236.tif 000009